【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  ホットメルト接着剤組成物であって、
（ｉ）２５〜８０質量％の、
ａ）スルホモノマーではない、少なくとも１種の二官能性ジカルボン酸、あるいは対応するメチルエステルと、
ｂ）２〜２５モルパーセントの、芳香核あるいは環式脂肪核と結合した少なくとも１個のスルホン酸金属塩の基あるいは窒素含有スルホン酸非金属塩の基と、水酸基、カルボキシル基、およびアミノ基からなる群から選択された少なくとも１個の官能基とを含有する少なくとも１種のスルホモノマーと、
ｃ）グリコール、あるいはグリコールと２個の−ＮＲＨ基を有するジアミンとの混合物から選択された少なくとも１種の二官能性反応体であって、このグリコールが２個の−Ｃ（Ｒ1 ）2 −ＯＨ基、ただし、反応体中のＲは水素原子あるいは１〜６個の炭素原子をもつアルキル基、及び反応体中のＲ1 は水素原子、１〜５個の炭素原子を有するアルキル基あるいは６〜１０個の炭素原子をもつアリール基、を含有する二官能性反応体と、
ｄ）０〜４０モルパーセントの、１個の−Ｃ（Ｒ）2 −ＯＨ基を有するヒドロキシカルボン酸、１個の−ＮＲＨ基を有するアミノカルボン酸、１個の−Ｃ（Ｒ）2 −ＯＨ基と１個の−ＮＲＨ基とを有するアミノ‐アルコール、あるいは前記二官能性反応体の混合物、ただし、反応体中のＲは水素原子、あるいは１〜６個の炭素原子をもつアルキル基、から選択された二官能性反応体と、
ｅ）０〜４０モルパーセントの、水酸基、カルボキシル基、およびその混合物から選択された少なくとも３個の官能基を含有する多官能性反応体、ただし、多官能性反応体の少なくとも一部は少なくとも３個の水酸基を含有する、
との反応生成物を含むスルホン化ポリエステル縮合ポリマー、ただし、上記の全てのモル百分率は、２００モルパーセントに等しい全ての酸、水酸基、およびアミノ基含有反応体の合計を基準としており、またポリマーは、塩基当量を酸当量で割った値が０．５と２の間にあるような割合で酸基含有反応体（酸１００モルパーセント）と、水酸基およびアミノ基含有反応体（塩基１００モルパーセント）とを含有する、と、
（ｉｉ）３〜４０質量％のアニオン性あるいはカチオン性可塑剤と、
（ｉｉｉ）０〜４０質量％の極性の粘着付与剤と、
（ｉｖ）０〜３質量％の酸化防止剤と、
（ｖ）１０〜３５質量％の、少なくとも１個の極性の官能基を含有する５００ｇ／モル未満の分子量をもつ相溶性のワックス希釈剤であって、前記の基がグラム当たり３×１０-3を超える濃度で存在するワックス希釈剤と、
（ｖｉ）任意に、０〜３０質量％の非イオン性可塑剤、ただし（ｉ）〜（Ｖｉ）の合計は１００質量％に等しい、とを含むホットメルト接着剤組成物。
【請求項２】  カチオン性可塑剤が脂肪族アミンの第四アンモニウム塩およびイミダゾリンの第四アンモニウム塩からなる群から選択される、請求項１に記載のホットメルト接着剤。
【請求項３】  アニオン性可塑剤が、ジオクチルスルホコハク酸ナトリウム、アルカンスルホン酸塩、および硫酸化脂肪酸からなる群から選択される、請求項１に記載のホットメルト接着剤。
【請求項４】  スルホン化ポリエステルの（ａ）の二官能性の酸あるいはエステル反応体が、シュウ酸、マロン酸、マレイン酸、フマル酸、ピバリン酸、ドデカン酸、ジメチルマロン酸、コハク酸、グルタル酸、アジピン酸、トリメチルアジピン酸、ピメリン酸、２，２−ジメチルグルタル酸、アゼライン酸、セバシン酸、１，３−シクロペンタンジカルボン酸、１，２−シクロヘキサンジカルボン酸、１，３−シクロヘキサンジカルボン酸、１，４−シクロヘキサンジカルボン酸、フタル酸、テレフタル酸、イソフタル酸、２，５−ノルボルナン−ジカルボン酸、１，３−ナフタル酸、ジフェン酸、４，４′−オキシ二安息香酸、ジグリコール酸、チオジプロピオン酸、４，４′−スルホニル二安息香酸、および２，５−ナフタレンジカルボン酸、およびそれらのエステル、およびそれらの混合物からなる群から選択された酸である、請求項１に記載のホットメルト接着剤。
【請求項５】  スルホン化ポリエステルの（ｂ）のスルホモノマー反応体が、ベンゼン、ナフタレン、アントラセン、ジフェニル、オキシジフェニル、スルホニルジフェニル、およびメチレンジフェニルからなる群から選択された核と結合した−ＳＯ3 Ｍ基、ただし、Ｍは、Ｎａ+ 、Ｌｉ+ 、Ｍｇ++、Ｃａ++、Ｆｅ++、およびＦｅ+++ 、を含有する二官能性モノマーからなる群から選択される、請求項１に記載のホットメルト接着剤。
【請求項６】  （ｃ）の二官能性反応体が、エチレングリコール、プロピレングリコール、１，３−プロパンジオール、２−メチル−１，３−プロパンジオール、２，４−ジメチル−２−エチル−ヘキサン−１，３−ジオール、２，２−ジメチル−１，３−プロパンジオール、２−エチル−２−ブチル−１，３−プロパンジオール、２−エチル−２−イソブチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、チオジエタノール、１，２−シクロヘキサンジメタノール、１，３−シクロヘキサンジメタノール、１，４−シクロヘキサンジメタノール、２，２，４，４−テトラメチル−１，３−シクロブタンジオール、ｐ−キシリレンジオール、ジエチレングリコール、トリエチレングリコール、テトラエチレングリコール、ペンタエチレングリコール、ヘキサエチレングリコール、ヘプタエチレングリコール、オクタエチレングリコール、ノナエチレングリコール、デカエチレングリコール、２，２，４−トリメチル−１−１，３−ペンタンジオール、ヒドロキシピバリルヒドロキシピバレート、ジプロピレングリコール、１，１０−デカンジオール、水素化ビスフェノールＡ，およびそれらの混合物からなる群から選択されるジオールである、請求項１に記載のホットメルト接着剤。
【請求項７】  スルホン化ポリエステルの（ｄ）の二官能性成分が、５−アミノメチル−シクロヘキサンメタノール、５−アミノ−２−エチル−ペンタノール−１、２−（４−ｂ−ヒドロキシエトキシ−フェニル）−１−アミノエタン、３−アミノ−２，２−ジメチル−プロパノール、およびヒドロキシエチルアミンからなる群から選択されたアミノアルコールである、請求項１に記載のホットメルト接着剤。
【請求項８】  スルホン化ポリエステルの（ｄ）の二官能性モノマー成分が、６−アミノカプロン酸、カプロラクタム、ω−アミノウンデカン酸、３−アミノ−２−ジメチルプロピオン酸、４−（ｂ−アミノエチル）安息香酸、２−（ｂ−アミノプロポキシ）安息香酸、４−アミノメチルシクロヘキサンカルボン酸、および２−（ｂ−アミノプロポキシ）シクロヘキサン−カルボン酸からなる群から選択されたアミノカルボン酸である、請求項１に記載のホットメルト接着剤。
【請求項９】  スルホン化ポリエステルの（ｃ）の二官能性モノマーが、エチレン−ジアミン、ヘキサメチレンジアミン、２，２，４−トリメチル−ヘキサメチレンジアミン、４−オキサヘプタン−１，７−ジアミン、４，７−ジオキサデカン−１，１０−ジアミン、１，４−シクロヘキサン−ビスメチルアミン、１，３−シクロヘプタメチレン−ジアミン、およびドデカメチレン−ジアミンからなる群から選択されたジアミンである、請求項１に記載のホットメルト接着剤。
【請求項１０】  スルホン化ポリエステルの多官能性反応体が、トリメチロールプロパン、トリメチロールエタン、グリセリン、ペンタエリトリット、アリトリトール、トレイトール、ジペンタエリトリット、ソルビトール、無水トリメリト酸、ピロメリト酸二無水物、およびジメチロールプロピオン酸からなる群から選択される、請求項１に記載のホットメルト接着剤。
【請求項１１】  スルホン化ポリエステルが（ａ）を６０〜１００モルパーセント、（ｂ）を４〜２０モルパーセント、（ｃ）を０〜１０モルパーセント、（ｄ）を０〜１０モルパーセント、および（ｅ）を０〜２０モルパーセント含む、請求項１に記載のホットメルト接着剤。
【請求項１２】  請求項１〜１１に記載のホットメルト接着剤を含む再湿性の封筒。